(57)【要約】【課題】アクセスポイントと複数の無線電話端末からなる無線電話システムにおいて簡易な構成で無線転送効率を低下させることなく電話会議を行う。【解決手段】アクセスポイントの配下に複数の無線端末があり、無線端末はＩＤを共有し、無線端末から電話会議用の無線データの送信時には共有ＩＤを使用し、無線端末が無線データを受信するときには共有ＩＤ宛のデータも受信し、無線データの送受信確認手順はどれか一つの無線端末が行うように制御して、アクセスポイントを介した通信相手からは無線端末が１台に見えるようにした。【選択図】図３
2008311721.tif 000002
【特許請求の範囲】
【請求項１】
無線電話端末グループを構成する無線電話端末であって、
無線電話端末固有のＩＤを登録する固有ＩＤ登録手段と、前記無線端末グループで共有するＩＤを登録する共有ＩＤ登録手段と、予め定められたルールに従って自無線電話端末が前記無線端末グループの代表端末であるかを判定する代表端末判定手段とを有し、
通話相手の端末と音声データを授受する際、前記共有ＩＤを使用して無線通信すると共に、前記代表端末判定手段により自無線電話端末が前記代表端末であると判定されたとき、無線区間における無線データの送受信確認処理を実行し、前記通話相手の端末と前記無線端末グループとによる通話を実現することを特徴とする無線電話端末。
【請求項２】
請求項１に記載の無線電話端末であって、
前記代表端末判定手段は、前記通話相手の端末にデータを送信するときに代表端末となる送信時代表端末決定手段と、前記無線端末が自端末を含む端末グループ以外の相手端末からデータを受信したときに予め割り当てた固有ＩＤをもとにして代表端末を決定する受信時代表端末決定手段と、代表端末になったあと予め定められた条件になるまで代表端末の状態を継続して保持する代表端末保持手段と、代表端末が決定されたとき前記無線端末グループの他の無線電話端末に通知する代表端末決定通知手段と、代表端末でなくなったとき前記無線端末グループの他の無線電話端末に通知する代表端末解放通知手段とを備えることを特徴とする無線電話端末。
【請求項３】
請求項１または請求項２に記載の無線電話端末であって、
前記受信時代表端末決定手段は、自無線電話端末以外の無線端末が無線データの受信確認処理を実行するかどうかを前記無線端末に予め割り当てた固有ＩＤに応じて変化させた時間監視し、監視時間以内に他無線電話端末が無線データの受信確認手順を実行しないとき自無線電話端末で受信確認手順を実行し、自無線電話端末を代表端末にすることを特徴とする無線電話端末。
【請求項４】
請求項１から請求項３のいずれか一つに記載の無線電話端末であって、
前記代表端末保持手段は、前記無線端末が前記共有ＩＤを使用して授受されている呼制御データを監視して検出した前記代表端末の呼状態に応じて代表端末の状態を保持するか代表端末でない状態にするかを決める手段と、音声の無音検出時に代表端末でない状態にする手段と、予め決められた代表端末の有効期間経過後に代表端末でない状態にする手段とを持つことを特徴とする無線電話端末。
【発明の詳細な説明】
【技術分野】
【０００１】
本発明は、無線電話端末にかかり、特に電話会議用の無線電話端末に関する。
【背景技術】
【０００２】
複数の電話機で電話会議を行うとき一般的には会議に参加する電話機がそれぞれ電話会議に参加する手順を行い、電話機の音声の送受信は電話会議装置が制御する。無線を使ってアクセスポイントの配下に複数の無線電話端末を持つ構成であっても同様の手順をとることが一般的である。
【０００３】
特許文献１に記載された発明によれば、携帯電話機にブルートゥースインタフェースを搭載し、ブルートゥースインタフェースに複数のヘッドセットを接続して、携帯電話機の通話相手先との間で簡易に電話会議を行うことができる。
【０００４】
【特許文献１】特開２００６−２７０３５２号公報
【発明の開示】
【発明が解決しようとする課題】
【０００５】
しかし、特許文献１に記載された発明では、呼接続を行う携帯電話機に２つの無線部が必要であり、内部構成が複雑になる。また、携帯電話機の無線部を１つにしたとしても、１回の無線データを相手側の装置と送受信するために、携帯電話機とヘッドセットとの間の転送で１回、携帯電話機と相手側の装置との間の転送で１回と、無線による転送を２回行う必要があり、無線データの転送効率が半分となってしまう。
【０００６】
本発明は、電話会議ということから同時に複数の発言は行わないことを前提とし、無線データの転送効率が半分にならない電話会議用の無線電話端末を提供する。
【課題を解決するための手段】
【０００７】
上述した課題は、無線電話端末グループを構成し、無線電話端末固有のＩＤを登録する固有ＩＤ登録手段と、無線端末グループで共有するＩＤを登録する共有ＩＤ登録手段と、予め定められたルールに従って自無線電話端末が無線端末グループの代表端末であるかを判定する代表端末判定手段とを有し、通話相手の端末と音声データを授受する際、共有ＩＤを使用して無線通信すると共に、代表端末判定手段により自無線電話端末が代表端末であると判定されたとき、無線区間における無線データの送受信確認処理を実行し、通話相手の端末と無線端末グループとによる通話を実現する無線電話端末により、達成できる。
【発明の効果】
【０００８】
本発明によれば、複数の無線電話端末を使用して電話会議を行うとき、簡易な構成を採ることができ、しかも無線データの転送効率を下げることがない。
【発明を実施するための最良の形態】
【０００９】
以下、本発明の実施の形態について、実施例を用い図面を参照しながら説明する。なお、実質同一部位には同じ参照番号を振り、説明は繰り返さない。
【００１０】
図１を参照して、無線電話システムの構成を説明する。ここで、図１は無線電話システムのシステム構成を説明するブロック図である。図１において、無線電話システム１００は、ＬＡＮまたはＷＡＮ等によるネットワーク１３０で相互に接続された２台のアクセスポイント１１０と、アクセスポイント１１０の配下の複数の無線電話端末１２０とから構成されている。電話会議は、アクセスポイント１１０−１に所属する無線電話端末１２０−１〜１２０−３と、アクセスポイント１１０−２に所属する無線電話端末１２０−４〜１２０−６の間で行われる。
【００１１】
図２を参照して、無線電話端末の構成を説明する。ここで、図２は無線電話端末の機能ブロック図である。図２において、無線電話端末１２０は、無線電話端末全体を制御する制御部１２２と、制御部１２２の間で制御データを交換し、無線電波の送受信をおこなう無線送受信部１２１と、無線送受信部１２１に接続され無線電波の送受信をするアンテナ１２５と、音声入力部１２４と、無線送受信部１２１との間で音声データを交換し、音声入力部１２４からの音声を受信する音声の区切り検出部１２７と、音声の区切り検出部１２７からの音声データを受信し、音声を再生する音声再生部１２３と、無線送受信部１２１と接続されたＩＤ記憶部１２６とから構成される。
また、制御部１２２は、受信確認部１２２１と、代表端末状態管理部１２２２と、他端末状態管理部１２２３と、主制御部１２２４とから構成される。
【００１２】
無線送受信部１２１は、共有ＩＤを使用した無線データの送受信を行う。共有ＩＤは、ＩＤ記憶部１２６から取得する。制御部１２２は、無線送受信部１２１との音声データ以外の無線データを処理する。制御部１２２は、ＩＤ記憶部１２６から共有ＩＤの情報を取得し、取得した共有ＩＤは制御部１２２を構成している各部１２２１〜１２２４で使用される。制御部１２２は、音声の区切り検出部１２７から音声の区切りの情報を取得し、代表端末状態管理部１２２２が取得した音声の区切り情報を使用する。制御部１２２は、主制御部１２２４または他端末状態管理部１２２３の状態をもとに、音声再生部１２３で音声を再生するかどうかの情報を音声再生部１２３へ提供する。
【００１３】
ＩＤ記憶部１２６は、共有ＩＤと自己の固有ＩＤを記憶する。共有ＩＤは所定の手順により決定され、通知される。なお、共有ＩＤは手動で設定されてもよい。固有ＩＤは、無線電話端末間でユニークな値が設定される。
【００１４】
受信確認部１２２１は、自無線電話端末が代表端末のとき、かつＩＤ記憶部１２６に記憶している共有ＩＤに関係する無線データを送受信したとき、受信確認手順を実行する。受信確認部１２２１は、自無線電話端末が、代表端末なのか、アクセスポイントエリア内の他の無線電話端末が代表端末なのか、アクセスポイントエリア内には代表端末は存在しないのかという情報を、代表端末状態管理部１２２２から取得する。アクセスポイントエリア内の無線電話端末がすべて代表端末でない状態で無線データを受信したとき、受信確認部１２２１は、他の無線電話端末が実行する受信確認手順の監視を行う。監視動作は、無線電話端末に割り当てられた優先順位や固有ＩＤに応じて変化させる。固有ＩＤに応じて監視を開始する時間を変えておき、アクセスポイントエリア内のどの無線電話端末も受信確認手順を開始しないとき、自無線電話端末が受信確認手順を開始する。受信確認手順を開始した無線電話端末は、代表端末となり、代表端末状態管理部１２２２に自無線電話端末が代表端末となったことを通知する。
【００１５】
代表端末状態管理部１２２２は、自無線電話端末やアクセスポイントエリア内の他の無線電話端末が代表端末かどうかを管理する。アクセスポイントエリア内の他の無線電話端末が送信する「代表端末要求メッセージ」を受信したとき、代表端末状態管理部１２２２は、アクセスポイントエリア内の他の無線電話端末が代表端末になったと認識する。発信などの操作を行おうとするときや音声データを送信したいとき、代表端末状態管理部１２２２は、代表端末になることを試みる。無線電話端末１２０は、すでにアクセスポイントエリア内の他の無線電話端末が代表端末になっているとき、「代表端末解放メッセージ」を受信するか、あらかじめ決められたタイムアウトするまで代表端末になることはできない。代表端末になることを試みるとき、かつアクセスポイントエリア内のすべての無線電話端末が代表端末でないとき、代表端末状態管理部１２２２は、アクセスポイントエリア内に「代表端末要求メッセージ」を送信し、自無線電話端末を代表端末とする。代表端末になった無線電話端末が管理している呼状態の遷移の結果、代表端末の必要性がなくなったとき「代表端末解放メッセージ」をアクセスポイントエリア内に送信し、自己を代表端末でない状態にする。「代表端末要求メッセージ」と「代表端末解放メッセージ」は無線送受信部１２１を通して行う。
【００１６】
他端末状態管理部１２２３は、自無線電話端末が代表端末でないとき、代表端末が共有ＩＤを使用して送受信する呼制御データを無線送受信部１２１で受信し代表端末の呼状態を認識する。自無線電話端末が代表端末のとき、無線送受信部１２１は、送受信する無線データを主制御部１２２４との間で転送し、呼制御機能を実施する。他端末状態管理部１２２３は、自無線電話端末が代表端末かどうかを代表端末状態管理部１２２２から情報を取得する。自無線電話端末が代表端末でないとき、さらに呼状態の遷移の結果、自無線電話端末を代表端末にする必要が生じたとき、代表端末状態管理部１２２２は、代表端末になる処理を開始する。自無線電話端末が代表端末のとき、しかも呼状態の遷移の結果、自無線電話端末を代表端末から解除する必要が生じたとき、代表端末状態管理部１２２２は、代表端末を解除する処理を開始する。また、音声の区切り検出部１２７から音声の区切りを検出したという通知を受信したとき、代表端末状態管理部１２２２は、代表端末を解除する処理を開始する。
【００１７】
音声再生部１２３は、アクセスポイントエリア内の代表端末の呼状態が通話状態のとき、共有ＩＤで送受信される音声データを再生する。アクセスポイントエリア内の代表端末の呼状態が通話状態かどうかは、自無線電話端末が代表端末のときは主制御部１２２４から情報を取得し、自無線電話端末以外が代表端末のとき他端末状態管理部１２２３から情報を取得する。自無線電話端末の音声データは、音声入力部１２４から入力され音声の区切り検出部１２７を経由して取得する。アクセスポイントエリア内の他の無線電話端末１２０の音声データは、無線送受信部１２１から入力され音声の区切り検出部１２７を経由して取得する。
【００１８】
音声の区切り検出部１２７は、無線送受信部１２１から受信した音声データを音声再生部１２３に転送する。音声の区切り検出部１２７は、また、音声入力部１２４から入力された音声データを無線送受信部１２１へ転送する。音声の区切り検出部１２７は、自無線電話端末が音声を送信しているときは音声入力部１２４からの音声データの区切りを監視する。また、音声の区切り検出部１２７は、自無線電話端末がアクセスポイントエリア内の他無線電話端末の音声データを受信しているとき、無線送受信部１２１から受信する音声データの区切りを監視する。音声の区切り検出部１２７は、自無線電話端末が代表端末のとき、音声の区切りを検出したら、自己を代表端末でない状態にする処理を開始するよう他端末状態管理部１２２３に通知する。
【００１９】
音声入力部１２４は、マイクなどの音声入力装置から音声を入力し音声データに変換して音声の区切り検出部１２７に転送する。主制御部１２２４は、マンマシンインタフェース、呼制御などの無線電話端末としての制御機能を担う。アンテナ部１２５は、無線データの送受信を行う。
【００２０】
図３を参照して、呼接続済みの無線電話端末が電話会議を行う処理のシーケンスを説明する。ここで、図３は相手端末と、アクセスポイントと、このアクセスポイント配下の２台の無線電話端末との間のシーケンス図である。なお、以下の図面において、相手端末は１２０−４として説明する。
【００２１】
図３において、無線電話端末１２０−１、１２０−２は、それぞれ共有ＩＤを持つ。無線電話端末１２０−１および１２０−２は、手動による共有ＩＤの入力を受け付け（Ｓ２０１、Ｓ２０２）、共有ＩＤをＩＤ記憶部１２６に記憶する（Ｓ２０３、Ｓ２０４）。
【００２２】
無線電話端末１２０−２からの発言があったとき（Ｓ２０５）、無線電話端末１２０−２は自無線電話端末を代表端末とし、「代表端末要求メッセージ」をアクセスポイントエリア内にマルチキャストで送信する（Ｓ２０６）。このとき無線電話端末１２０−１は他の無線電話端末が代表端末になったことを認識する。無線電話端末１２０−２は音声データを相手端末側に送信する（Ｓ２０７）。
【００２３】
無線電話端末１２０−２が送信した音声データは、無線電話端末１２０−１でも受信される。無線電話端末１２０−１は、受信した音声データを音声として再生する（Ｓ２０８）。無線電話端末１２０−２が相手端末側へ送信した音声データに対して、アクセスポイント１１０−１は、無線区間における受信確認（ＡＣＫ）を返信する（Ｓ２０９）。無線電話端末１２０−２が無音などの音声の区切りを検出したとき（Ｓ２１１）、無線電話端末１２０−２は、「代表端末解放メッセージ」をアクセスポイントエリア内にマルチキャストで送信し（Ｓ２１２）、自己を代表端末でない状態にする。
【００２４】
相手端末側からの音声データがアクセスポイントエリア内に送信されたとき（Ｓ２１３）、アクセスポイントエリア内の無線電話端末１２０−１、１２０−２は、受信した音声データを再生する（Ｓ２１４、Ｓ２１５）。ここで、現在アクセスポイントエリア内のすべての無線電話端末が代表端末でない状態なので、無線電話端末１２０は、他の無線電話端末が行う受信確認手順の監視を開始する（Ｓ２１７、２１８）。
【００２５】
このとき無線電話端末の固有ＩＤまたは所定の手順により決められた無線電話端末の優先順位が１番高い無線電話端末１２０−１は、無線区間における受信確認手順（ＡＣＫ）をアクセスポイントエリア内のアクセスポイント１１０−１に送信する（Ｓ２１９）。このとき無線電話端末１２０−１は、代表端末となる。無線電話端末１２０−２は、無線電話端末１２０−１が受信確認手順を開始したことを監視により検出する（Ｓ２２１）。代表端末である無線電話端末１２０−１は、相手端末１２０−４からの音声データの区切りを検出する（Ｓ２２２）。無線電話端末１２０−１は、「代表端末解放メッセージ」をアクセスポイントエリア内にマルチキャストで送信する（Ｓ２２３）。この結果、アクセスポイントエリア内のすべての無線電話端末１２０は、全て代表端末でない状態になる。
【００２６】
なお、手動による共有ＩＤの入力を受け付けるステップ２０１、ステップ２０２の別の方法としてアクセスポイントエリア内のどれかの無線電話端末１２０が共有ＩＤを保持し、アクセスポイントエリア内のその他の無線電話端末が共有ＩＤを保持している無線電話端末から共有ＩＤの情報を受信してその値を記憶する手順も考えられる。
【００２７】
図４を参照して、無線電話端末による発信動作を説明する。ここで、図４は相手端末と、アクセスポイントと、このアクセスポイント配下の３台の無線電話端末との間のシーケンス図である。図４において、アクセスポイント１１０−１の配下の無線電話端末１２０−１〜１２０−３は、いずれも待機状態にある。この状態ではアクセスポイントエリア内には代表端末が存在しない。無線電話端末１２０−１は、発信操作を受け付けると（Ｓ４０２）、「代表端末要求メッセージ」を無線電話端末１２０−２、１２０−３にマルチキャストで送信し（Ｓ４０３）、自端末を代表端末とする。無線電話端末１２０−１は、送信元ＩＤとして共有ＩＤを用い、発信データをアクセスポイント１１０−１を介して相手端末１２０−４に送信する（Ｓ４０４）。なお、この発信データは、送信元ＩＤとして共有ＩＤを用いているので、無線電話端末１２０−２、１２０−３も受信する。発信データを受信した無線電話端末１２０−２、１２０−３は、他端末状態状態を更新し（Ｓ４０６、Ｓ４０７）、代表端末の無線電話端末１２０−１が送受信するデータを監視する。
【００２８】
無線電話端末１２０−１が相手端末１２０−４へ送信した発信データについて、アクセスポイント１１０−１は、無線区間における受信確認を無線電話端末１２０−１に送信する（Ｓ４０８）。相手端末１２０−４は、受信した発信データの送信元ＩＤ（共有ＩＤ）を受信先ＩＤとした応答データをアクセスポイント１１０−１を介して送信する（Ｓ４０９）。応答データは、無線電話端末１２０−１〜１２０−３で受信され、無線電話端末１２０−２、１２０−３は、他端末状態状態を更新し（Ｓ４１１、Ｓ４１２）、代表端末の無線電話端末１２０−１が送受信するデータを監視する。無線電話端末１２０−１は、無線区間における受信確認をアクセスポイント１１０−１に返信する（Ｓ４１３）。
【００２９】
以上の手順にて、無線電話端末１２０−１〜１２０−３は、相手端末１２０−４との間で、簡易電話会議を開始できる状態とすることができた。なお、相手端末は、１台で説明したが相手端末がアクセスポイント内の複数の無線電話端末であっても良い。
【００３０】
図５を参照して、無線電話端末による着信動作を説明する。ここで、図５は相手端末と、アクセスポイントと、このアクセスポイント配下の３台の無線電話端末との間のシーケンス図である。図５において、アクセスポイント１１０−１の配下の無線電話端末１２０−１〜１２０−３は、いずれも待機状態にある。この状態ではアクセスポイントエリア内には代表端末が存在しない。
【００３１】
相手端末１２０−４から、送信先ＩＤ（受信ＩＤ）として共有ＩＤを使用した着信用のデータがアクセスポイント１１０−１から送信されると（Ｓ５０２）、無線電話端末１２０−１〜１２０−３は着信データを受信する。無線電話端末１２０−１〜１２０−３は、いずれも他の無線端末が無線区間における受信確認手順を開始するかどうか監視する（Ｓ５０３〜Ｓ５０５）。この監視時間は、無線電話端末１２０ごとに異なり、無線電話端末１２０の優先順位または無線電話端末の固有ＩＤをもとにあらかじめ決められた時間である。
【００３２】
ここでは、無線電話端末１２０−１の監視時間が最短なので、無線電話端末１２０−１は、アクセスポイント１１０−１に無線区間における受信確認を送信し（Ｓ５０７）、代表端末となる。ここで、無線電話端末１２０−１は、ＡＣＫの送信元ＩＤとして共有ＩＤを用いるので、無線電話端末１２０−２、１２０−３もＡＣＫを受信し、他の端末が無線区間における受信確認したことを検出する（Ｓ５０８、Ｓ５０９）。無線電話端末１２０−２、１２０−３は、他端末状態を更新する（Ｓ５１１、Ｓ５１２）。
【００３３】
代表端末である無線電話端末１２０−１は、送信元ＩＤとして共有ＩＤを添付した呼出用データについて、アクセスポイント１１０−１を介して相手端末１２０−４に送信する（Ｓ５１３）。無線電話端末１２０−２、１２０−３は、代表端末の無線電話端末１２０−１の送受信するデータを監視しているので、呼出用データを受信し、他端末状態を更新する（Ｓ５１４、Ｓ５１５）。アクセスポイントエリア内の無線電話端末１２０が相手端末１２０−４へ送信したデータに対してアクセスポイント１１０−１が行う無線区間における受信確認手順は、呼出用データを送信した無線電話端末１２０−１が受信する（Ｓ５１７）。
【００３４】
ここまでの手順を行ったあと、アクセスポイントエリア内のどの無線電話端末も着信に対して応答できるように無線電話端末１２０−１は、「代表端末解放メッセージ」をマルチキャストでアクセスポイントエリア内に送信する（Ｓ５１８）。この送信により、アクセスポイントエリア内の無線電話端末１２０は、すべて代表端末でない状態となる。
【００３５】
その後無線電話端末１２０−２が応答操作を受け付け（Ｓ５１９）、無線電話端末１２０−２は、「代表端末要求メッセージ」をアクセスポイントエリア内にマルチキャストで送信し（Ｓ５２１）、代表端末になる。「代表端末要求メッセージ」を受信した無線電話端末１２０−１、１２０−３は、無線電話端末１２０−２が代表端末になったと認識する。
【００３６】
代表端末である無線電話端末１２０−２は、応答データを相手端末側へ送信する（Ｓ５２２）。無線電話端末１２０−１、１２０−３は、無線電話端末１２０−２が送信する応答データを受信し、他端末状態を更新する（Ｓ５２３、Ｓ５２４）。アクセスポイント１１０−１は、応答データを送信した無線電話端末１２０−２に無線区間における受信確認手順を送信する（Ｓ５２６）。
【００３７】
これらの手順により、アクセスポイントエリア内の代表端末が相手端末と通話状態になる。また、アクセスポイントエリア内の代表端末以外の無線電話端末も代表端末が現在通話中の状態であることを認識する。
【００３８】
図６を参照して、無線電話端末が通話状態になってから電話会議を開始するまでの動作を説明する。ここで、図６は相手端末と、アクセスポイントと、このアクセスポイント配下の３台の無線電話端末との間のシーケンス図である。図６において、アクセスポイント１１０−１の配下の無線電話端末１２０−１〜１２０−３は、いずれも相手端末との間で通話可能な状態にある。また、アクセスポイント１１０−１の配下に代表端末がない状態とする。
【００３９】
相手端末１２０−４は、受信ＩＤとして共有ＩＤを指定した音声データをアクセスポイント１１０−１を介して無線電話端末１２０に送信する（Ｓ６０１）。音声データを受信した無線電話端末１２０−１〜１２０−３は、他端末の無線区間における受信確認を監視する（Ｓ６０２〜Ｓ６０４）。この監視時間は、無線電話端末１２０ごとに異なり、無線電話端末１２０の優先順位または無線電話端末の固有ＩＤをもとにあらかじめ決められた時間である。
【００４０】
ここでは、無線電話端末１２０−１の監視時間が最短なので、無線電話端末１２０−１は、アクセスポイント１１０−１に無線区間における受信確認を送信し（Ｓ６０６）、代表端末となる。無線電話端末１２０−１〜１２０−３は、受信した音声を再生する（Ｓ６０７〜Ｓ６０９）。無線端末１２０−２、１２０−３は、他の端末が無線区間における受信確認（ＡＣＫ）を送信したことを検出する（Ｓ６１１、Ｓ６１２）。
【００４１】
代表端末である無線電話端末１２０−１が相手端末側からの音声データの区切りを検出したとき（Ｓ６１３）、無線電話端末１２０−１は、「代表端末解放メッセージ」をアクセスポイントエリア内にマルチキャストで送信する（Ｓ６１４）。このときアクセスポイントエリア内のすべての無線電話端末が代表端末でない状態になる。
【００４２】
無線電話端末１２０−２が発言を検出したとき（Ｓ６１６）、無線電話端末１２０−２は、「代表端末要求メッセージ」をアクセスポイントエリア内にマルチキャストで送信する（Ｓ６１７）。この結果、無線電話端末１２０−２は、代表端末になり、送信元ＩＤとして共有ＩＤを用いた音声データを相手端末１２０−４に送信する（Ｓ６１８）。無線電話端末１２０−２が送信した音声データは、共有ＩＤを使っているので無線電話端末１２０−１、１２０−３でも受信され、無線電話端末１２０−１、１２０−３は音声として再生する（Ｓ６１９、Ｓ６２０）。相手端末１２０−４へ送信した音声データに対してアクセスポイント１１０−１が送信する無線区間における受信確認は、無線電話端末１２０−２が受信する（Ｓ６２２）。
【００４３】
代表端末の無線電話端末１２０−２が通話の終了を検出したとき（Ｓ６２３）、無線電話端末１２０−２は、「代表端末解放メッセージ」をアクセスポイントエリア内にマルチキャストで送信する（Ｓ６２４）。
【００４４】
図７を参照して、無線電話端末の動作を説明する。ここで、図７は無線電話端末のフローチャートである。図７において、無線電話端末１２０は、共有ＩＤが対象の無線区間における受信確認用データを受信したか判定する（Ｓ７１５）。ステップ７１５でｙｅｓのとき、無線電話端末１２０は、代表端末が自無線電話端末かどうかを判定する（Ｓ７１６）。ステップ７１６でｙｅｓのとき、無線電話端末１２０は、無線区間における受信確認手順を実施する（Ｓ７１７）。ステップ７１６でｎｏのとき、無線電話端末１２０は、代表端末が決まっているかどうか判定する（Ｓ７１８）。代表端末がまだ決まっていないときは（Ｓ７１８：ｙｅｓ）、無線電話端末１２０は、他の無線電話端末が無線区間における受信確認手順を行ったということなので受信確認監視タイマを停止し、代表端末が他の端末であることを記憶する（Ｓ７１９）。代表端末が決まっているときは（Ｓ７１８：ｎｏ）、無線電話端末１２０は、ステップ７１５に戻って、次のイベントを待つ。
【００４５】
ステップ７１５でｎｏのとき、無線電話端末１２０は、自無線電話端末が受信した無線データが相手端末の音声データかどうかを判断する（Ｓ７２０）。ステップ７２０でｙｅｓのとき、無線電話端末１２０は、相手端末が発言を始めたとみなし（Ｓ７２２）、受信したデータが共有ＩＤ宛かどうかを判断する（Ｓ７２６）。
【００４６】
ステップ７２０でｎｏのとき、無線電話端末１２０は、送信元が共有ＩＤの音声データか判定する（Ｓ７２３）。アクセスポイントエリア内の他の無線電話端末が送信した音声データを受信したとき（Ｓ７２３：ｙｅｓ）、無線電話端末１２０は、受信した音声データを再生し（Ｓ７２５）、ステップ７２６に遷移する。ステップ７２３でｎｏのとき、無線電話端末１２０は、ステップ７２５をジャンプして、ステップ７２６に遷移する。
【００４７】
ステップ７２６でｙｅｓのとき、無線電話端末１２０は、代表端末状態の更新を行い（Ｓ７６０）、代表端末が自無線電話端末かどうか判断する（Ｓ７２７）。ステップ７２７でｙｅｓのとき、無線電話端末１２０は、無線区間における受信確認手順を実施し（Ｓ７２８）、ステップ７１５に戻る。ステップ７２７でｎｏのとき、無線電話端末１２０は、代表端末がないかどうか判定する（Ｓ７２９）。代表端末がないとき（Ｓ７２９：ｙｅｓ）、無線電話端末１２０は、アクセスポイントエリア内のどれかの無線電話端末が無線区間における受信確認手順を行うようにするため受信確認監視タイマを開始する（Ｓ７３０）。代表端末があるとき（Ｓ７２９：ｎｏ）、無線電話端末１２０は、ステップ７１５に戻って次のイベントを待つ。
【００４８】
ステップ７２６でｎｏのとき、無線電話端末１２０は、受信した無線データが代表端末要求メッセージかどうか判断する（Ｓ７３１）。ステップ７３１でｙｅｓのとき、無線電話端末１２０は、代表端末を他の無線電話端末にセットし（Ｓ７３２）、ステップ７１５に戻る。ステップ７３１でｎｏのとき、無線電話端末１２０は、受信した無線データが代表端末解放メッセージかどうか判断する（Ｓ７３３）。ステップ７３３でｙｅｓのとき、無線電話端末１２０は、「代表端末＝なし」とし（Ｓ７３４）、ステップ７１５に戻る。
【００４９】
ステップ７３３でｎｏのとき、無線電話端末１２０は、自無線電話端末の呼状態や発信操作などからデータ送信の必要がある状態なのかどうかを判定する（Ｓ７３５）。データ送信の必要があるとき（Ｓ７３５：ｙｅｓ）、無線電話端末１２０は、代表端末がアクセスポイントエリア内の他の無線電話端末かどうかを判定する（Ｓ７３６）。代表端末がアクセスポイントエリア内の他の無線電話端末でないとき（Ｓ７３６：ｎｏ）、無線電話端末１２０は、代表端末が自無線電話端末かどうか判定する（Ｓ７３７）。代表端末が自無線電話端末でないとき（Ｓ７３７：ｎｏ）、無線電話端末１２０は、代表端末要求メッセージを送り、代表端末が自無線電話端末であるとし、代表端末の有効時間を決める代表端末タイマ開始する（Ｓ７３８）。その後、無線電話端末１２０は、実際の無線データの送信処理を行い（Ｓ７３９）、ステップ７１５に戻る。
【００５０】
ステップ７３７でｙｅｓのとき、無線電話端末１２０は、そのままステップ７３９に遷移する。また、ステップ７３６でｙｅｓのとき、無線電話端末１２０は、そのままステップ７１５に戻る。
【００５１】
ステップ７３５でｎｏのとき、無線電話端末１２０は、自無線電話端末の呼状態を遷移した結果、代表端末を解放する必要があるかないかを判定する（Ｓ７４０）。代表端末を解放する必要があるとき（Ｓ７４０：ｙｅｓ）、無線電話端末１２０は、代表端末解放メッセージを送信し、「代表端末＝なし」とし（Ｓ７４１）、ステップ７１５に戻る。
【００５２】
ステップ７４０でｎｏのとき、無線電話端末１２０は、受信確認監視タイマのタイムアウトかどうかを判断する（Ｓ７４２）。受信確認監視タイマのタイムアウトのとき（Ｓ７４２：ｙｅｓ）、無線電話端末１２０は、自無線電話端末が無線区間における受信確認手順を実施することになるので無線区間における受信確認手順を実施し、代表端末＝自無線電話端末とし、代表端末タイマを開始し（Ｓ７４３）、ステップ７１５に戻る。
【００５３】
ステップ７４２でｎｏのとき、無線電話端末１２０は、音声入力部から音声データの入力があるか無いかを判定する（Ｓ７４４）。音声データの入力があるとき（Ｓ７４４：ｙｅｓ）、無線電話端末１２０は、相手端末が発言中かどうか判断する（Ｓ７４５）。相手端末が発言中でないとき（Ｓ７４５：ｎｏ）、無線電話端末１２０は、音声入力からの音声データを相手端末へ送信し（Ｓ７４６）、ステップ７１５に戻る。相手端末が発言中のとき（Ｓ７４５：ｙｅｓ）、ステップ７４６をジャンプして、そのままステップ７１５に戻る。
【００５４】
ステップ７４４でｎｏのとき、無線電話端末１２０は、相手端末からの音声の区切りが検出されたかどうか判断する（Ｓ７４７）。相手端末からの音声の区切りが検出されたとき（Ｓ７４７：ｙｅｓ）、無線電話端末１２０は、相手端末が発言中かどうか判定する（Ｓ７４８）。相手端末が発言中のとき（Ｓ７４８：ｙｅｓ）、無線電話端末１２０は、代表端末解放メッセージをアクセスポイントエリア内に送信し、相手端末は発言中でない、代表端末＝なしとし（Ｓ７４９）、ステップ７１５に戻る。相手端末が発言中でないとき（Ｓ７４８：ｎｏ）、無線電話端末１２０は、ステップ７４９をジャンプして、そのままステップ７１５に戻る。
【００５５】
ステップ７４７でｎｏのとき、無線電話端末１２０は、自端末の音声の区切りが検出されたかどうか判断する（Ｓ７５０）。自端末の音声の区切りが検出されたとき（Ｓ７５０：ｙｅｓ）、無線電話端末１２０は、代表端末解放メッセージをアクセスポイントエリア内に送信し、「代表端末＝なし」とし（Ｓ７５１）、ステップ７１５に戻る。
【００５６】
ステップ７５０でｎｏのとき、無線電話端末１２０は、代表端末タイマがタイムアウトしたかを判断する（Ｓ７５２）。代表端末タイマがタイムアウトしたとき（Ｓ７５２：ｙｅｓ）、無線電話端末１２０は、代表端末解放メッセージをアクセスポイントエリア内に送信し、「代表端末＝なし」とし（Ｓ７５３）、次のイベントを待つ（Ｓ７１５）。
【００５７】
ステップ７５２でｎｏのとき、無線電話端末１２０は、受信した無線データの送信元ＩＤが共有ＩＤかどうかを判断する（Ｓ７６１）。受信した無線データの送信元ＩＤが共有ＩＤのとき（Ｓ７６１：ｙｅｓ）、無線電話端末１２０は、他端末の代表端末状態の更新を行う（Ｓ７６２）。
ステップ７６１でｎｏのとき、無線電話端末１２０は、通常の無線電話端末処理実施し（Ｓ７５６）、ステップ７１５に戻る。
【００５８】
上述した実施例において、無線電話端末１２０が電話会議にかかる呼制御データ、音声データなど送信するとき、無線電話端末１２０は、衝突回避手段はＣＳＭＡ／ＣＡなどの一般的な手段を用いる。このとき、無線電話端末１２０は、送信に使用する無線電話端末のＩＤとして共有ＩＤを使用する。
【００５９】
無線区間における受信確認手順をアクセスポイント１１０が行うとき、アクセスポイントエリア内の代表端末以外の無線電話端末１２０は、無線区間における受信確認手順を無視する。これによって、複数の無線電話端末１２０が重複して無線区間における受信確認手順を行わない。
【００６０】
無線電話端末１２０は、共有ＩＤ宛の無線データやアクセスポイントエリア内の他の無線電話端末が送信元ＩＤとして共有ＩＤを使用して送信した無線データも受信する。無線電話端末１２０は、受信した音声データで無線電話端末の呼状態が通話状態のとき、音声再生に利用する。一方、呼制御データを受信したとき、無線電話端末１２０は、呼状態を遷移させるために利用する。このとき、自無線電話端末が代表端末でないとき、代表端末である他の無線電話端末の呼状態を監視するために受信した呼制御データを使用する。代表端末でない無線電話端末は、代表端末の呼状態を監視することで代表端末の呼状態が通話状態かどうかなどを認識する。
【００６１】
代表端末の管理では、代表端末の決定や代表端末の解放を制御するため独自メッセージ「代表端末要求」、「代表端末解放」を使用する。「代表端末要求」と「代表端末解放」はアクセスポイントエリア内にマルチキャストで送信する。代表端末になった無線電話端末は「代表端末要求」を送信する。「代表端末要求」を受信した無線電話端末は自無線電話端末以外の無線電話端末が代表端末になったと認識する。すでにアクセスポイントエリア内の他の無線電話端末が代表端末になっているとき、他の無線電話端末１２０は、代表端末になれず「代表端末解放」を受信するまで待つか、あらかじめ決められたタイムアウトになるまで待つ。
【００６２】
呼制御データを送信するとき、以下のように代表端末を決定する。発信するときや着信に応答するときなどのように無線電話端末が一連の手順で無線データを送受信することが分かっているとき、アクセスポイントエリア内のどの無線電話端末も代表端末でなければ、その一連の手順が始まる前に「代表端末要求」を送信し、一連の手順が終了したら「代表端末解放」を送信する。
【００６３】
また、音声データを送信するときは以下のように代表端末を決定する。無線電話端末が送信したい音声データを保持したとき、アクセスポイントエリア内の他の無線電話端末が代表端末かどうかチェックし、どの無線電話端末も代表端末でないとき「代表端末要求」を送信して音声データを送信する。代表端末として音声データを送信している無線電話端末は、通話状態でなくなるときに「代表端末解放」を送信する。電話会議では発言者を切り替えるために通話状態でなくなるときだけでなく発言者の発言の区切り（無音など）を検出したときやあらかじめ決められたタイムアウトになったときに「代表端末解放」を送信する。
【００６４】
アクセスポイントエリア外からの音声データを受信している間はアクセスポイントエリア内のすべての無線電話端末は音声データの送信を行わないようにし、アクセスポイントエリア外から受信する音声の区切り（無音など）が検出されたあと無線データ送信可能とする。
【００６５】
上述した実施例に拠れば、アクセスポイントエリア内で同一のＩＤを使用する無線電話端末が複数存在していても、どれか１つの無線電話端末が呼制御データや音声データを直接アクセスポイントへ送信する。逆に、無線電話端末が受信する無線データは、アクセスポイントエリア内の無線電話端末がすべて受信する。これらによって、簡易に電話会議を実現できる。また、無線電話端末はアクセスポイントエリア内の無線装置と直接無線データを送受信するため無線データの転送効率は下がらない。
【図面の簡単な説明】
【００６６】
【図１】無線電話システムのシステム構成を説明するブロック図である。
【図２】無線電話端末の機能ブロック図である。
【図３】相手端末と、アクセスポイントと、このアクセスポイント配下の２台の無線電話端末との間のシーケンス図である。
【図４】相手端末と、アクセスポイントと、このアクセスポイント配下の３台の無線電話端末との間のシーケンス図である（その１）。
【図５】相手端末と、アクセスポイントと、このアクセスポイント配下の３台の無線電話端末との間のシーケンス図である（その２）。
【図６】相手端末と、アクセスポイントと、このアクセスポイント配下の３台の無線電話端末との間のシーケンス図である（その３）。
【図７Ａ】無線電話端末のフローチャートである（その１）。
【図７Ｂ】無線電話端末のフローチャートである（その２）。
【図７Ｃ】無線電話端末のフローチャートである（その３）。
【図７Ｄ】無線電話端末のフローチャートである（その４）。
【図７Ｅ】無線電話端末のフローチャートである（その５）。
【符号の説明】
【００６７】
１００…無線電話システム、１１０…アクセスポイント、１２０…無線端末、１２１…無線送受信部、１２２…制御部、１２３…音声再生部、１２４…音声入力部、１２５…アンテナ部、１２６…ＩＤ記憶部、１２７…音声の区切り検出部、１３０…ネットワーク、１２２１…受信確認部、１２２２…代表端末状態管理部、１２２３…他端末状態管理部、１２２４…主制御部。
【図１】
2008311721.tif 000003
【図２】
2008311721.tif 000004
【図３】
2008311721.tif 000005
【図４】
2008311721.tif 000006
【図５】
2008311721.tif 000007
【図６】
2008311721.tif 000008
【図７Ａ】
2008311721.tif 000009
【図７Ｂ】
2008311721.tif 000010
【図７Ｃ】
2008311721.tif 000011
【図７Ｄ】
2008311721.tif 000012
【図７Ｅ】
2008311721.tif 000013